(57)【要約】      （修正有）【課題】マスク本体と顔との間に息苦しさを防止する空間を形成しそれを安定して保持できるとともに、違和感なく装着できるマスクを提供する。【解決手段】マスク１は、左右の中間位置で分割された一対の半割体が中間位置で縫合することにより上下方向に接合されて成るマスク本体１０と、マスク本体１０の接合部に鼻から口にかけて上下方向に設けられた細長袋状の芯材収容部２０と、芯材収容部２０に収容され、着用時に鼻孔及び口とマスク本体１０との間に一定の空間４０を形成し得る剛性を有する芯材３０と、を備える。芯材収容部２０は、一対の半割体を同一形状に重ね合わせ、一対の半割体の対向する端縁部に沿って所定の縫い代で縫い合わせ、一方の半割体を縫い代の地縫い線で片側に折り倒し、３枚に重ね合わされた部分を端縁部の先端部分で地縫い線と平行に縫い合わせることにより形成した。【選択図】図６
0003231061.tif 000002
【実用新案登録請求の範囲】
【請求項１】
左右の中間位置で分割された一対の半割体が前記中間位置で上下方向に接合されて成るマスク本体と、
該マスク本体の接合部に鼻から口にかけて上下方向に設けられた細長袋状の芯材収容部と、
該芯材収容部に収容され、着用時に鼻孔及び口と前記マスク本体との間に空間を形成し得る剛性を有する芯材と、
を備えたことを特徴とするマスク。
【請求項２】
前記芯材収容部は、前記一対の半割体の対向する端縁部同士を縫合することにより形成されていることを特徴とする請求項１に記載のマスク。
【請求項３】
前記芯材収容部は、前記一対の半割体を同一形状に重ね合わせ、前記一対の半割体の対向する端縁部に沿って所定の縫い代で縫い合わせ、一方の前記半割体を前記縫い代の地縫い線で片側に折り倒し、３枚に重ね合わされた部分を前記端縁部の先端部分で前記地縫い線と平行に縫い合わせることで形成されていることを特徴とする請求項１に記載のマスク。
【考案の詳細な説明】
【技術分野】
【０００１】
本願は、顔に装着されてウィルスや細菌を除去するマスクに関するものである。
【背景技術】
【０００２】
日常生活において不織布、ウレタン樹脂等の素材により作成された衛生マスクを長時間着用すると、マスク熱中症や酸素不足に陥るおそれがある。また、短時間でも、ランニングや各種スポーツ等で運動したり重労働をしたときなどでは、息の吸引でマスクが鼻孔や口元に吸い付いて息苦しくなったりする。
【０００３】
そこで、これを改善すべく各種のマスクが提案されている。特許文献１には、マスク形状保持具を備えたマスクが開示されている。マスク形状保持具は、マスク本体の上部中央に固定テープを使用して着脱自在に取付けられる上部固定部と、下部に固定テープを使用して着脱自在に取付けられる下部固定部と、上部固定部と下部固定部との間隔を保持する保持部とから構成されている。このマスクは、耳に掛けるための一対の支持紐体による張力によってマスクの上部と下部とが狭められることにより保持部が湾曲され、固定テープの付着力と保持部のテンションとによって、着用者の口唇周辺に空間が形成されるから、マスクを装着したことによる息苦しさを解消できる。
【先行技術文献】
【特許文献】
【０００４】
【特許文献１】実用新案登録第３２２１７９８号公報
【考案の概要】
【考案が解決しようとする課題】
【０００５】
しかし、特許文献１に記載のマスクは、マスク形状保持具が固定テープを使用してマスク本体に取り付けられるものであるから、使用中等において剥がれるおそれがある。また、マスク形状保持具は、厚紙、プラスチック等で形成され、マスク本体の内面側に露出して取り付けられているので、装着性の点において違和感を生じ易い。
【０００６】
そこで、本考案は、マスク本体と顔との間に息苦しさを防止する空間を形成しそれを安定して保持できるとともに、違和感なく装着することができるマスクの提供を課題とするものである。
【課題を解決するための手段】
【０００７】
請求項１のマスクは、左右の中間位置で分割された一対の半割体が前記中間位置で上下方向に接合されて成るマスク本体と、該マスク本体の接合部に鼻から口にかけて上下方向に設けられた細長袋状の芯材収容部と、該芯材収容部に収容され、着用時に鼻孔及び口と前記マスク本体との間に空間を形成し得る剛性を有する芯材と、を備えたものである。
【０００８】
請求項２のマスクは、特に、芯材収容部が、一対の半割体の対向する端縁部同士を縫合することにより形成されている。
【０００９】
請求項３のマスクは、特に、芯材収容部が、一対の半割体を同一形状に重ね合わせ、一対の半割体の対向する端縁部に沿って所定の縫い代で縫い合わせ、一方の半割体を縫い代の地縫い線で片側に折り倒し、３枚に重ね合わされた部分を端縁部の先端部分で地縫い線と平行に縫い合わせることで形成されている。
【考案の効果】
【００１０】
本考案は、一対の半割体が接合されたマスク本体の接合部において鼻から口にかけて上下方向に芯材収容部が形成され、内部に所定の剛性を有する芯材が収容されているので、マスクは一定形状に保持され、着用時に鼻孔及び口とマスク本体との間に一定の空間を形成することができ、かつ、その状態を安定して保持することができる。また、芯材は、顔面側の面がマスク本体の素材で覆われ、内部空間側には露出しないので、違和感なくソフトな感覚で装着することができる。
【００１１】
更に、一対の半割体の対向する端縁部同士を重ねて縫合することで、一対の半割体の接合によるマスク本体の形成と、着用時の鼻孔及び口とマスク本体との間の空間の形成とを同時に行なうことができる。このため、別途に空間を形成するための手段を設ける必要がなく、構成が簡易となり、部品数を削減できる。
【００１２】
そして、着用時に鼻孔及び口とマスク本体との間に一定の空間を形成できることにより、着用した状態での運動や長時間の着用などにより息苦しくなるのを防止することができる。
加えて、所定の剛性を備えた芯材によりマスクは一定形状に保持されるので、呼吸の度にマスクが吸い込まれてべこついたりすることがなく、着用時の見苦しさをなくすことができる。
また、メイクによる口紅がマスクに付着するのを防止できる。
【００１３】
更に、芯材収容部は、一対の半割体の対向する端縁部同士を重ね合わせて縫合することにより形成されているので、簡易な構成で簡単に芯材収容部を形成することができる。
【図面の簡単な説明】
【００１４】
【図１】本考案の実施形態のマスクを示す正面図である。
【図２】図１のマスクを左右の中間位置で折り重ねた状態を示す正面図である。
【図３】図１のマスクの接合前の一対の半割体を示す正面図である。
【図４】図１のマスクを製作する工程を説明する要部正面図である。
【図５】図１のマスクを製作する工程を説明する要部横断面図である。
【図６】図１のマスクを着用した状態を示す側面図である。
【考案を実施するための形態】
【００１５】
以下、本考案の実施形態のマスクを図に基づいて説明する。
本実施形態のマスクは、日常使用される衛生マスクである。
図１及び図２において、マスク１は、一対の半割体１１，１１が上下方向に接合されて成るマスク本体１０と、マスク本体１０の接合部１５に設けられた細長袋状の芯材収容部２０と、芯材収容部２０に収容された芯材３０と、で構成されている。
【００１６】
マスク本体１０は、図３に示す、マスク１の左右の中間位置１４で２つに分割された一対の半割体１１，１１が、中間位置１４で上下方向に接合されて成り、左右にはそれぞれ着用者の耳に掛けられる耳掛け孔１６が形成されている。マスク本体１０の各半割体１１は、一定厚さの不織布、ウレタン樹脂材等の布地、シート材で形成され、対向する端縁部１２は外方に円弧状、湾曲状に膨出し、着用者の鼻頂部から下顎部にかけて鼻及び口の全体を覆う大きさに形成されている。
【００１７】
一対の半割体１１，１１は、対向する端縁部１２同士が先端の外縁に沿って鼻から口にかけて縫合されることにより上下方向に接合されてマスク本体１０に形成されている。縫合は、具体的には、図４及び図５に示すように、一対の半割体１１，１１を同一形状に重ね合わせ、一対の半割体１１，１１の対向する端縁部１２に沿って所定幅の縫い代２１で縫い合わせ、一方の半割体１１を縫い代２１の地縫い線２２で片側に折り倒し、３枚に重ね合わされた部分を端縁部１２の先端部分１３で地縫い線２２と平行に縫い合わせている。ここで、一対の半割体１１，１１の対向する端縁部１２は、一対の半割体１１，１１の対向する端部において縫い代２１を含む所定幅の範囲の部分をいう。また、先端部分１３は、端縁部１２の先端の外縁側にあって縫い合わせ可能な幅を有する部分をいう。
【００１８】
芯材収容部２０は、一対の半割体１１，１１が上記のように縫い合わされて接合されることに伴って接合部１５の縫い代２１の内部に細長の袋状に形成されている。すなわち、芯材収容部２０は、所定間隔をおいて平行する２本の上下方向の縫い目と上下両端部の水平方向の縫い目とで周囲四方を囲まれた細長袋状に形成されている。芯材収容部２０は、マスク本体１０の上端から下端にかけて形成され、着用時に鼻頂部から下顎部に至る長さに形成されている。
【００１９】
芯材３０は、芯材収容部２０の内部に収容されている。芯材３０は、幅１〜１０ｍｍ程度の細長短冊状に形成されているとともに、芯材収容部２０に収容された状態で鼻孔及び口元とマスク本体１０との間に一定の空間４０を形成し得る剛性を備えている。芯材３０は、合成樹脂板やワイヤなどの、形状を整え維持するものが使用され、長さはマスク１の大きさなどに応じて設定される。具体的には、芯材３０は幅が３ｍｍ程度のものである場合は、１０ｃｍ程度の長さが適する。また、幅が１ｍｍ程度の細いものである場合は、１５ｃｍ程度の長さでも、鼻孔及び口元とマスク本体１０との間に良好な空間４０を形成することができる。
【００２０】
次に、上記のように構成された本実施形態のマスク１の製造について説明する。
最初に、不織布などの布地やポリウレタン樹脂等のシート材を打ち抜くなどして裁断し、図３に示す形状の一対の半割体１１，１１を形成する。次に、図４(a)及び図５(a)に示すように、一対の半割体１１，１１である左側半割体１１ａと右側半割体１１ｂとを同一形状に重ね合わせ、円弧状に膨出した端縁部１２において一定の縫い代２１で外縁に沿って縫い合わせる。ここで、図５はマスク１を横方向すなわち水平方向に切断した要部の断面図である。続いて、図４(b)及び図５(b)に示すように、一方の半割体である左側半割体１１ａをでき上り線である地縫い線２２で片側である図４及び図５の右側に折り倒して重ね合わせる。次いで、端縁部１２において３枚が重なった状態で、図４(c)及び図５(c)に示すように、縫い目２３で、一対の半割体１１，１１の各先端部分１３を地縫い線２２と平行に縫い合わせる。そして、下端部２５を縫い止める。これにより、三方が縫い合わされた細長袋状の芯材収容部２０が形成される。最後に、上端部２４の開口から芯材３０を挿入して芯材収容部２０内に収容し、上端部２４を縫い止める。これにより、芯材収容部２０内に芯材３０が収容されたマスク１が完成する。
【００２１】
このようにして製造されたマスク１を着用した状態を図６に示す。着用した状態で、マスク１の左右の中間部は、芯材３０による形状維持機能により上下方向に一定の曲率で円弧状、湾曲状に外方に膨出し、鼻孔及び口元とマスク１の内面との間にはエアポケットなる空間４０が形成され、マスク１の内面は鼻孔及び口元から所定距離離間した一定形状に保持される。
【００２２】
次に、本実施形態のマスク１の作用を説明する。
マスク１は、左右の中間位置１４に上下方向に芯材収容部２０が形成され、その内部に、鼻孔及び口元とマスク本体１０との間に一定の空間４０を形成し得る剛性を有する芯材３０が収容されているので、マスク１は一定形状に保持され、着用時に鼻孔及び口とマスク本体１０との間に一定の空間４０が形成され、しかも、その状態は安定して保持される。また、芯材３０は、顔面側の面がマスク本体１０の素材で覆われ、内部空間４０側には露出しないので、違和感なくソフトな感覚で装着することができる。
【００２３】
更に、一対の半割体１１，１１の対向する端縁部１２同士を重ねて縫合することで、一対の半割体１１，１１の接合によるマスク本体１０の形成と、着用時の鼻孔及び口とマスク本体１０との間の空間４０の形成とを同時に行なうことができる。つまり、縫合による接合は、マスク本体１０を接合する手段と空間４０を形成する手段とを兼ねている。したがって、その点において、左右の中間位置１４の接合部１５において芯材収容部２０を形成する意義がある。
【００２４】
加えて、芯材収容部２０は、一対の半割体１１，１１の対向する端縁部１２同士を重ね合わせて縫合することにより形成されているので、簡易な構成で簡単に芯材収容部２０を形成することができる。
【００２５】
また、芯材３０は芯材収容部２０内に収容され、上下方向に所定距離移動させることができるので、着用者の顔の形に合った最適な位置に調整することができ、装着感が向上する。
【００２６】
そして、着用時に鼻孔及び口とマスク本体１０との間に一定形状の空間４０を形成できることにより、長時間の着用により息苦しくなるのを防止でき、マスク熱中症や酸素不足が発生するのを回避できる。また、着用した状態でランニングや各種スポーツなどの運動を行なったり重労働、重作業をしたときに、息の吸引でマスク１が鼻孔や口元に吸い付いて息苦しくなるのを防止することができる。
【００２７】
加えて、一定形状に保持できるので、呼吸の度にマスク１が口元に吸い込まれて前後にべこつくことがないので、見苦しくなるのが避けられる。
また、鼻孔及び口元とマスク本体１０の内面との間は一定距離離間しているので、メイクの口紅がマスク本体１０の裏面に付着するのを防止できる。
更には、声がこもるのを防止できるので会話し易く、また、眼鏡が曇るのを防止することができる。
【００２８】
ところで、上記実施形態の芯材収容部２０は、上端部２４も縫い止めしているが、上端部２４のみを縫い止めしないものとしてもよい。この場合、芯材収容部２０の上端の開口から出し入れして、芯材３０を適宜交換したり長さを調整することもできる。なお、上端に開口が形成されていても、通常の使用においては、上端の開口から芯材３０が落下することはほとんどなく、必要であれば、上端部２４の開口に両面接着テープ等を貼着して開閉自在なものとすることもできる。
【００２９】
また、上記実施形態では、一対の半割体１１，１１の対向する端縁部１２同士を重ね合わせ、端縁部１２に沿って所定幅の縫い代２１で縫い合わせた後、一方の半割体である左側半割体１１ａを地縫い線２２で片側に折り倒し、一対の半割体１１，１１の先端部分１３を地縫い線２２と平行に縫い合わせることにより、芯材収容部２０を形成しているが、芯材収容部２０は、他の例えば折り付せ縫い等による縫合により形成してもよく、芯材収容部２０を形成できれば如何なる縫い方であってもよい。
【００３０】
更に、上記実施形態では、芯材収容部２０は、縫合により形成しているが、超音波溶着、熱溶着などの手段により一対の半割体１１，１１同士を接合して形成してもよい。
【００３１】
加えて、上記実施形態の芯材３０は、合成樹脂板やワイヤなどで形成しているが、これらに限られるものではなく、形状記憶素材などを使用してもよい。
【００３２】
なお、上記実施形態では、マスク本体１０に形成した耳掛け孔１６で耳に掛けるようにしているが、マスク１は、紐体等で耳に掛けるようにしてもよい。
【符号の説明】
【００３３】
１  マスク                          １５  接合部
１０  マスク本体                      ２０  芯材収容部
１１  半割体                          ２１  縫い代
１１ａ  左側半割体                    ２２  地縫い線
１１ｂ  右側半割体                    ２３  縫い目
１２  端縁部                          ３０  芯材
１３  先端部分                        ４０  空間
１４  左右の中間位置
【図１】
0003231061.tif 000003
【図２】
0003231061.tif 000004
【図３】
0003231061.tif 000005
【図４】
0003231061.tif 000006
【図５】
0003231061.tif 000007
【図６】
0003231061.tif 000008